(57)【要約】【課題】コーナリング中のグリップや接地感、アクセルを開けて前に進むときのトラクション、また、ギャップやジャンプ、岩や木等の障害物といったタイヤが大きく変形する際の操縦安定性を両立する。【解決手段】タイヤ内面に、タイヤ内面のタイヤ軸方向最大幅位置ＣＷｍからタイヤ径方向外側、及び内側に延設されるゴム補強層２６を設け、タイヤ径方向外側端部２６Ａをトレッド部２２のタイヤ軸方向最大幅位置ＴＷｍをタイヤ径方向外側へ超えない位置に設定することで、タイヤ変形が大きい時にのみタイヤ剛性を上げることが可能となり、タイヤ変形が過大となったときに発生しやすいパンクのリスクも軽減することができる。さらに、小荷重でも変形を起こしやすいタイヤ内面のタイヤ軸方向最大幅位置ＣＷｍ付近の剛性を必要以上に高める事が無く、コーナリング中のグリップや接地感等を損なう事が無い。【選択図】図１
2011057184.tif 000002
【特許請求の範囲】
【請求項１】
一対のビード部と、
一対のビード部間を跨るカーカスと、
前記カーカスのタイヤ径方向外側に設けられるトレッド部と、
を備え、
前記カーカスの内面側には、タイヤ回転軸に沿った断面で見た時のタイヤ内面のタイヤ軸方向最大幅位置からタイヤ径方向外側、及び内側へ延びるゴム補強層が配置され、
前記ゴム補強層のタイヤ径方向外側端部が、前記トレッド部のタイヤ軸方向最大幅位置をタイヤ径方向外側へ超えない位置にある二輪車用空気入りタイヤ。
【請求項２】
リムに装着した際のリムフランジの径方向外側端からタイヤ径方向外側へ計測する前記トレッド部のタイヤ軸方向最大幅位置までの距離をサイド部の高さＨとし、
前記ゴム補強層のタイヤ径方向寸法をｈ、
前記タイヤ内面のタイヤ軸方向最大幅位置から前記ゴム補強層のタイヤ径方向外側端までのタイヤ径方向に沿って計測した寸法をｈｕ、
前記タイヤ内面のタイヤ軸方向最大幅位置から前記ゴム補強層のタイヤ径方向内側端までのタイヤ径方向に沿って計測した寸法をｈｄ、
としたときに、
０．３Ｈ≦ｈ≦０．８ｈ、ｈｕ≧０．１Ｈ、及びｈｄ≧０．１Ｈを満足する請求項１に記載の二輪車用空気入りタイヤ。
【請求項３】
タイヤ回転軸に沿った断面で見た時に、前記ゴム補強層は、厚さが一定のフラット部と、前記フラット部のタイヤ径方向両側に連続して設けられ前記フラット部から離れるにしたがって厚さが漸減するテーパー部とを備えている請求項１または請求項２に記載の二輪車用空気入りタイヤ。
【請求項４】
前記ゴム補強層の最大厚みが、０．５〜３．０ｍｍの範囲内に設定されている請求項１〜請求項３の何れか１項に記載の二輪車用空気入りタイヤ。
【請求項５】
前記ゴム補強層は、２０°ＣでのＪＩＳ  ショアーＡ硬さが４０〜８０度の範囲内に設定されている請求項１〜請求項４の何れか１項に記載の二輪車用空気入りタイヤ。
【請求項６】
タイヤ内面側には、前記トレッド部、前記サイド部、及び前記ビード部を構成するゴムよりも、気体が透過し難い材料を含む気体透過抑制層が設けられていない請求項１〜請求項５の何れか１項に記載の二輪車用空気入りタイヤ。
【発明の詳細な説明】
【技術分野】
【０００１】
本発明は、二輪車用空気入りタイヤに係り、特に泥濘地を含む不整地での使用を目的としたモトクロス及びエンデューロ用に適した二輪車用空気入りタイヤに関する。
【背景技術】
【０００２】
不整地走行用の自動二輪車用空気入りタイヤが開示されている（特許文献１参照）。
【先行技術文献】
【特許文献】
【０００３】
【特許文献１】特開２００８−１０５５８１号公報
【発明の概要】
【発明が解決しようとする課題】
【０００４】
一般的に、モトクロスやエンデューロ用タイヤは、使用内圧が８０ｋＰａ（６０〜１００ｋＰａ）近傍という低内圧での使用を特徴としている。
それに反して、使用環境としては、不整地と言いつつも、ギャップやジャンプのあるコースレイアウトに加え、不整地故の岩や木という様な障害物も普通に存在する状態での走行になる。
【０００５】
低内圧で使用する理由としては、不安定な走行環境でのギャップやジャンプ、岩、木などを走行する場合のグリップ、接地感という操縦安定性を確保するためである。しかし、低内圧故のタイヤ変形が大きくなり、操縦安定性確保とは相反する剛性感が必要となる。また、ここで必要な剛性感が得られない場合、過剰な変形により、チューブタイプのタイヤの場合、内面のチューブにクラックが入りパンクを発生させる事となる。
【０００６】
従来は、小変形時の操縦性確保と大変形時の剛性確保を両立させるために、少なからず片方の性能を犠牲にしていた。
例えば、サイド部の剛性を高めるために、構造がサイド部ゴムを変更すれば、結果的にタイヤ全体が硬くなり、小変形時の操縦安定性を下げることになるし、一般にトレッド、及びサイド一体の口金でゴムの押し出しを行っているモトクロスやエンデューロ用タイヤにおいて、サイド部のみのゴムを変更するには、製造上のコストも高くなってしまう問題がある。
また、大変形時の剛性をある程度犠牲にして操縦安定性の向上を進めれば、ギャップやジャンプ着地での安定性不足を招くばかりか、パンクのリスクさえも高める事になる。
【０００７】
本発明は、上記事実を考慮して、コーナリング中のグリップや接地感、アクセルを開けて前に進むときのトラクション、また、ギャップやジャンプ、岩や木等の障害物といったタイヤが大きく変形する際の操縦安定性を両立可能な二輪車用空気入りタイヤを提供することを目的とする。
【課題を解決するための手段】
【０００８】
請求項１に記載の発明は、一対のビード部と、一対のビード部間を跨るカーカスと、
前記カーカスのタイヤ径方向外側に設けられるトレッド部と、を備え、前記カーカスの内面側には、タイヤ回転軸に沿った断面で見た時のタイヤ内面のタイヤ軸方向最大幅位置からタイヤ径方向外側、及び内側へ延びるゴム補強層が配置され、前記ゴム補強層のタイヤ径方向外側端部が、前記トレッド部のタイヤ軸方向最大幅位置をタイヤ径方向外側へ超えない位置にある。
【０００９】
次に、請求項１に記載の二輪車用空気入りタイヤの作用を説明する。
例えば、トレッドの踏面部に複数のブロックを有しているモトクロスやエンデューロ用のブロックパターンタイヤにおいては、泥濘地を含む不整地での使用を前提としており、そこでのグリップ感や接地感といった操縦安定性を確保する為に、低内圧での使用が一般的である。
しかし、モトクロスやエンデューロでの使用環境では、前述のような不整地に加え、ギャップやジャンプ、それに岩や木といった、タイヤを大きく変形させるに十分な環境も多く存在する。
【００１０】
通常、コーナリング中のグリップや接地感、アクセルを開けて前に進む時のトラクションを向上させるために、踏面のゴムを軟らかくして路面とのグリップを上げたり、構造を軟らかくして路面の追従を上げ、グリップ感や接地感を向上させる手段がとられていた。しかし、操縦安定性向上を重視し過ぎると、ギャップやジャンプといった、タイヤが大きく変形時の剛性感が損なわれ、タイヤに荷重が掛かるときの安定性が失われてしまい、かつ過剰にタイヤが変形する事でパンクのリスクも大きくなってしまう。
【００１１】
一方、タイヤが大きく変形する際の安定性や、パンクのリスクを恐れて、踏面のゴムや構造を硬くすると、結果的にタイヤ全体の剛性が高まり、コーナリング中のグリップや接地感、アクセルを開けて前に進むときのトラクションを落としてしまう。
【００１２】
請求項１に記載の二輪車用空気入りタイヤでは、カーカスのタイヤ内面側に、タイヤ内面のタイヤ幅方向最大幅位置のタイヤ径方向外側、及び内側へ延びるゴム補強層を設け、ゴム補強層のタイヤ径方向外側端部をトレッド部のタイヤ軸方向最大幅位置をタイヤ径方向外側へ超えない位置に設定することで、ギャップやジャンプ着地、岩等、タイヤ変形が大きい時にのみタイヤ剛性（主にタイヤ径方向の剛性）を上げることが可能となり、タイヤ変形が過大となったときに発生しやすいパンクのリスクも軽減することができ、小荷重でも変形を起こしやすいタイヤ内面のトレッド最大幅付近の剛性を必要以上に高める事が無く、コーナリング中のグリップや接地感等を損なう事無く、大変形時の剛性感を高めることができる。
【００１３】
請求項２に記載の発明は、請求項１に記載の二輪車用空気入りタイヤにおいて、リムに装着した際のリムフランジの径方向外側端からタイヤ径方向外側へ計測する前記トレッド部のタイヤ軸方向最大幅位置までの距離をサイド部の高さＨとし、前記ゴム補強層のタイヤ径方向寸法をｈ、前記タイヤ内面のタイヤ軸方向最大幅位置から前記ゴム補強層のタイヤ径方向外側端までのタイヤ径方向に沿って計測した寸法をｈｕ、前記タイヤ内面のタイヤ軸方向最大幅位置から前記ゴム補強層のタイヤ径方向内側端までのタイヤ径方向に沿って計測した寸法をｈｄ、としたときに、０．３Ｈ≦ｈ≦０．８ｈ、ｈｕ≧０．１Ｈ、及びｈｄ≧０．１Ｈを満足する。
【００１４】
次に、請求項２に記載の二輪車用空気入りタイヤの作用を説明する。
ゴム補強層のタイヤ径方向寸法ｈが、０．３Ｈよりも小さくなると、ゴム補強層の効果事態が小さくなってしまう。
一方、ゴム補強層のタイヤ径方向寸法ｈが０．８Ｈよりも大きくなると、ゴム補強層の影響が大きくなり過ぎて、結果的にタイヤサイド全体の剛性を高めることとなり、ギャップやジャンプといったタイヤ変形が大きくなる以前の操縦安定性を損なうこととなる。
【００１５】
また、ゴム補強層が効率よく作用するためには、タイヤ変形が大きくなる場合に最も変形が集中するタイヤ内面のタイヤ幅方向最大幅位置に少なくとも配置することが重要であり、ｈｕ≧０．１Ｈ、及びｈｄ≧０．１Ｈを満足させることが好ましい。
【００１６】
請求項３に記載の発明は、請求項１または請求項２に記載の二輪車用空気入りタイヤにおいて、タイヤ回転軸に沿った断面で見た時に、前記ゴム補強層は、厚さが一定のフラット部と、前記フラット部のタイヤ径方向両側に連続して設けられ前記フラット部から離れるにしたがって厚さが漸減するテーパー部とを備えている。
【００１７】
次に、請求項３に記載の二輪車用空気入りタイヤの作用を説明する。
ゴム補強層を、厚さが一定のフラット部と、フラット部のタイヤ径方向両側に連続して設けられフラット部から離れるにしたがって厚さが漸減するテーパー部とを備える断面形状とすることで、ゴム補強層の端部付近において、タイヤサイド部の急激な剛性変化が抑えられ、歪みの集中等が避けられるので好ましい形態となる。
【００１８】
請求項４に記載の発明は、請求項１〜請求項３の何れか１項に記載の二輪車用空気入りタイヤにおいて、前記ゴム補強層の最大厚みが、０．５〜３．０ｍｍの範囲内に設定されている。
【００１９】
次に、請求項４に記載の二輪車用空気入りタイヤの作用を説明する。
本発明では、ゴム補強層の位置に加えて、ゴム補強層の厚さによってタイヤ性能をコントロールすることが可能であるが、ゴム補強層の最大厚さが０．５ｍｍよりも薄くなると、例えゴム補強層に高剛性のゴムを使用してもタイヤサイド部が変形する際のゴム圧縮が十分に行われず、期待した効果を得ることが出来なくなる。
【００２０】
一方、ゴム補強層の最大厚さが３．０ｍｍを超えると、ゴム補強層に軟らかいゴムを使用すれば効果が得られる場合もあるが、それ以上にタイヤ質量増加のデメリットが大きく、効果的といえなくなる。
【００２１】
請求項５に記載の発明は、請求項１〜請求項４の何れか１項に記載の二輪車用空気入りタイヤにおいて、前記ゴム補強層は、２０°ＣでのＪＩＳ  ショアーＡ硬さが４０〜８０度の範囲内に設定されている。
【００２２】
次に、請求項５に記載の二輪車用空気入りタイヤの作用を説明する。
ゴム補強層の２０°ＣでのＪＩＳ  ショアーＡ硬さが４０度未満では、ゴム補強層が軟らかすぎてゴム補強層を設けたことによる補強効果が得られなくなる。
【００２３】
一方、ゴム補強層の２０°ＣでのＪＩＳ  ショアーＡ硬さが８０度を超えると、ゴム補強層が硬くなり過ぎ、タイヤ変形が比較的少ない走行時の操縦安定性に影響がでる虞がある。
【００２４】
請求項６に記載の発明は、請求項１〜請求項５の何れか１項に記載の二輪車用空気入りタイヤにおいて、タイヤ内面側には、前記トレッド部、前記サイド部、及び前記ビード部を構成するゴムよりも、気体が透過し難い材料を含む気体透過抑制層が設けられていない。
【００２５】
請求項６に記載の二輪車用空気入りタイヤは、タイヤ内面側に気体透過抑制層が設けられていない二輪車用空気入りタイヤであり、内部に空気を充填するチューブを配置してリムに装着する、いわゆるチューブタイプの二輪車用空気入りタイヤである。気体透過抑制層は、いわゆるインナーライナーであり、気体透過抑制層をタイヤ内面に設けないことで、その分、タイヤ重量を低減できる。
【００２６】
なお、気体が透過し難い材料とは、例えば、ブチルゴムまたはブチルゴムを含んだゴムであるが、合成樹脂等その他の材料の場合もある。
本発明の二輪車用空気入りタイヤでは、ゴム補強層による作用効果が気体透過抑制層によって影響を受けることは無い。
【発明の効果】
【００２７】
以上説明したように、請求項１に記載の二輪車用空気入りタイヤは上記の構成としたので、コーナリング中のグリップや接地感、アクセルを開けて前に進むときのトラクション、また、ギャップやジャンプ、岩や木等の障害物といったタイヤが大きく変形する際の操縦安定性を両立することが出来る。
さらに、ゴム補強層は、カーカスの内面側にゴムシートを配置するのみで構成できるため、タイヤの質量増を抑え易く、タイヤを構成するゴム部材を押し出す為の口金を変更等のコストアップ要因を抑えることが可能となる。
請求項２に記載の二輪車用空気入りタイヤは上記の構成としたので、ゴム補強層を効率よく作用させてゴム補強層の補強効果を確保し、また、タイヤ変形が大きくなる以前の操縦安定性を確保することができる。
【００２８】
請求項３に記載の二輪車用空気入りタイヤは上記の構成としたので、タイヤサイド部の急激な剛性変化が抑えられ、歪みの集中等が避けられ、高い耐久性が得られる。
請求項４に記載の二輪車用空気入りタイヤは上記の構成としたので、必要以上にタイヤ質量を増加させること無く、ゴム補強層の効果を確実に得ることができる。
【００２９】
請求項５に記載の二輪車用空気入りタイヤは上記の構成としたので、他性能を低下させることなくゴム補強層の効果を得ることができる。
請求項６に記載の二輪車用空気入りタイヤは上記の構成としたので、気体透過抑制層をタイヤ内面に設けないことで、その分、タイヤ重量を低減できる。
【図面の簡単な説明】
【００３０】
【図１】本発明の一実施形態に係る二輪車用空気入りタイヤを示す断面図である。
【図２】実施例２に係る二輪車用空気入りタイヤを示す断面図である。
【図３】比較例１に係る二輪車用空気入りタイヤを示す断面図である。
【図４】比較例２に係る二輪車用空気入りタイヤを示す断面図である。
【図５】比較例３に係る二輪車用空気入りタイヤを示す断面図である。
【図６】従来例に係る二輪車用空気入りタイヤを示す断面図である。
【発明を実施するための形態】
【００３１】
以下、本発明の二輪車用空気入りタイヤの一実施形態を図面に基づき説明する。図１において、本実施の形態に係る二輪車用空気入りタイヤ１０は、泥濘地を含む不整地での使用を目的としたモトクロス及びエンデューロ用の二輪車用空気入りタイヤであり、後述するゴム補強層２６以外の構成は、一般的に知られているバイアス構造のチューブタイプタイヤと同様の構成であり、タイヤ内面側には所謂インナーライナーは設けられていない。
【００３２】
図１に示すように、本実施形態の二輪車用空気入りタイヤ１０のカーカス１２は、一対のビード部１４間をトロイド状に跨り該ビード部１４に配置したビードコア１６周りに内側から外側に巻き返して構成され、本実施形態ではカーカスプライ（図示せず）の２層からなる。なお、ビードコア１６のタイヤ径方向外側には、カーカス１２の本体部分と折り返し部分との間にスティフナー１７が設けられている。
【００３３】
カーカス１２のタイヤ径方向外側には、少なくともプライ１層からなるブレーカー１８が配置されており、ブレーカー１８のタイヤ径方向外側にはトレッドゴム２０からなるトレッド部２２が配置されている。
トレッド部２２は、複数の陸部２４を備えている。なお、トレッド部２２のパターンは、例えば、従来周知のブロックパターンを採用することができるが、一部にリブ状の陸部が設けられていても良い。
【００３４】
タイヤ回転軸に沿った断面で見た時に、カーカス１２のサイド部分は、一般の二輪車用空気入りタイヤと同様に、タイヤ軸方向に凸となる湾曲形状（タイヤ内側に曲率中心を有する略円弧形状）とされている。
なお、図１において、符合ＣＷｍは、タイヤ内面のタイヤ軸方向最大幅位置（タイヤ内面内で最もタイヤ軸方向外側に位置する点）を示している。
また、カーカス１２のタイヤ軸方向外側には、ビード部１４からトレッド部２２に渡ってサイドゴム２５が配置されている。
【００３５】
（ゴム補強層）
この二輪車用空気入りタイヤ１０の内面、本実施形態では、カーカス１２のサイド部分内面側にゴム補強層２６が設けられている。
このゴム補強層２６は、タイヤ回転軸に沿った断面で見た時のタイヤ内面のタイヤ軸方向最大幅位置ＣＷｍからタイヤ径方向内側、及び外側にカーカス１２に沿って延設されているが、タイヤ径方向外側端部２６Ａは、トレッド部２２のタイヤ軸方向最大幅位置ＴＷｍ（なお、図１のＴＷはタイヤ軸方向に計測するトレッド幅。）をタイヤ径方向外側へ超えないようにその位置が設定されている。
本実施形態のゴム補強層２６は、タイヤ軸方向最大幅位置ＣＷｍの側部で最も厚く形成され、タイヤ径方向外側、及びタイヤ径方向内側に向けて徐々に厚みが漸減している。
【００３６】
ここで、この二輪車用空気入りタイヤ１０をリム２８に装着した際のリムフランジ３０の径方向外側端３０Ａからタイヤ径方向外側へ計測するトレッド部２２のタイヤ軸方向最大幅位置ＣＷｍまでの距離をサイド部の高さＨとし、ゴム補強層２６のタイヤ径方向寸法をｈ、タイヤ内面のタイヤ軸方向最大幅位置ＣＷｍからゴム補強層２６のタイヤ径方向外側端部２６Ａまでのタイヤ径方向に沿って計測した寸法をｈｕ、タイヤ内面のタイヤ軸方向最大幅位置ＣＷｍからゴム補強層２６のタイヤ径方向内側端部２６Ｂまでのタイヤ径方向に沿って計測した寸法をｈｄ、としたときに、０．３Ｈ≦ｈ≦０．８ｈ、ｈｕ≧０．１Ｈ、及びｈｄ≧０．１Ｈを満足することが好ましい。
【００３７】
ゴム補強層２６は、最大厚みを０．５〜３．０ｍｍの範囲内に設定することが好ましい。
ゴム補強層２６は、トレッドゴム２０、及びサイドゴム２５よりも硬いゴムで形成されている。ゴム補強層２６は、２０°ＣでのＪＩＳ  ショアーＡ硬さを４０〜８０度の範囲内に設定することが好ましい。
また、ゴム補強層２６は、２０°Ｃでの動的弾性率Ｅ’を１０〜３０ＭＰａの範囲内に設定することが好ましい。
【００３８】
（作用）
本実施形態の二輪車用空気入りタイヤ１０では、カーカス１２のタイヤ内面側に、タイヤ内面のタイヤ軸方向最大幅位置ＣＷｍからタイヤ径方向外側、及び内側に延設されるゴム補強層２６を設け、そのゴム補強層２６のタイヤ径方向外側端部２６Ａをトレッド部２２のタイヤ軸方向最大幅位置ＴＷｍをタイヤ径方向外側へ超えない位置に設定したので、ギャップやジャンプ着地、岩等、タイヤ変形が大きい時にのみタイヤ剛性（主にタイヤの縦剛性）を上げることが可能となり、タイヤ変形が過大となったときに発生しやすいパンクのリスクも軽減することができる。
【００３９】
タイヤ内面のタイヤ軸方向最大幅位置ＣＷｍ付近では、タイヤに荷重が作用すると、タイヤ内面側のゴムには圧縮が作用し、タイヤ外面側のゴムには引張が作用する。
【００４０】
ゴム補強層２６を効率よく作用させるためには、タイヤ変形が大きくなる場合に最も変形が集中するタイヤ内面のタイヤ軸方向最大幅位置ＣＷｍに少なくとも配置することが重要であり、そのためには、ｈｕ≧０．１Ｈ、及びｈｄ≧０．１Ｈを満足させることが好ましい。
【００４１】
さらに、上述した様にゴム補強層２６を配置することで、小荷重でも変形を起こしやすいタイヤ内面のタイヤ軸方向最大幅位置ＣＷｍ付近の剛性を必要以上に高める事が無く、コーナリング中のグリップや接地感等を損なう事無く、大変形時の剛性感を高めることができる。
【００４２】
ここで、ゴム補強層２６のタイヤ径方向寸法ｈが、０．３Ｈよりも小さくなると、ゴム補強層２６の効果事態が小さくなってしまう。
一方、ゴム補強層２６のタイヤ径方向寸法ｈが０．８Ｈよりも大きくなると、ゴム補強層２６の影響が大きくなり過ぎて、結果的にタイヤサイド全体の剛性を高めることとなり、ギャップやジャンプといったタイヤ変形が大きくなる以前の操縦安定性を損なうこととなる。
したがって、本発明の効果は、この二輪車用空気入りタイヤ１０を不整地走行用途、例えば、モトクロスやエンデューロ用の車両に装着して用いることで最大限発揮される。
【００４３】
この二輪車用空気入りタイヤ１０では、ゴム補強層２６の位置に加えて、ゴム補強層２６の厚さによってタイヤ性能をコントロールすることが可能である。
なお、ゴム補強層２６の最大厚さが０．５ｍｍよりも薄くなると、ゴム補強層２６に高剛性のゴムを使用してもタイヤサイド部が変形する際のゴム圧縮が十分に行われず、期待した効果を得ることが出来なくなる。一方、ゴム補強層２６の最大厚さが３．０ｍｍを超えると、ゴム補強層２６に軟らかいゴムを使用すれば効果が得られる場合もあるが、それ以上にタイヤ質量増加のデメリットが大きく、効果的といえなくなる。
【００４４】
また、ゴム補強層２６の２０°ＣでのＪＩＳ  ショアーＡ硬さが４０度未満になると、ゴム補強層２６が軟らかすぎてゴム補強層２６を設けたことによる補強効果が得られなくなる。一方、ゴム補強層２６の２０°ＣでのＪＩＳ  ショアーＡ硬さが８０度を超えると、ゴム補強層２６が硬くなり過ぎ、タイヤ変形が比較的少ない走行時の操縦安定性に影響がでる虞がある。
【００４５】
また、ゴム補強層２６の２０°Ｃでの動的弾性率Ｅ’が１０ＭＰａ未満では、ゴム補強層２６が軟らかすぎてゴム補強層２６を設けたことによる補強効果が得られなくなる。
一方、ゴム補強層２６の２０°Ｃでの動的弾性率Ｅ’が３０ＭＰａを超えると、ゴム補強層２６が硬くなり過ぎ、タイヤ変形が比較的少ない走行時の操縦安定性に影響がでる虞がある。
【００４６】
［その他の実施形態］
上記実施形態のゴム補強層２６は、タイヤ内面のタイヤ軸方向最大幅位置ＣＷｍの側部で最も厚く、タイヤ径方向外側、及び内側へ向かうにしたがって厚みが漸減していたが、ゴム補強層２６の断面形状はこれに限らず、例えば、図２に示すように、径方向の中央部分である中央領域ｂで厚さを一定とし、中央領域ｂのタイヤ径方向外側にタイヤ径方向外側の向けて厚さが漸減する径方向外側領域ａを設け、中央領域ｂのタイヤ径方向内側にタイヤ径方向内側に向けて厚さが漸減する径方向内側領域ｃを設ける構成としても良い。ゴム補強層２６の厚さを端部に向けて漸減させることで、タイヤサイド部の急激な剛性変化が抑えられ、歪みの集中等が避けられる。
【００４７】
上記実施形態の二輪車用空気入りタイヤ１０は、内部の基本構造がバイアス構造であったが、ラジアル構造であっても良い。
また、二輪車用空気入りタイヤ１０は、内部の基本構造をラジアル構造とした時に、タイヤ内面に気体透過抑制層、所謂インナーライナーを設けてチューブレスタイヤとしても良い。インナーライナーとしては、例えば、ブチルゴム、ブチルゴムを含んだゴム、合成樹脂等の周知のものを適用できる。
【００４８】
なお、前述したインナーライナーの設けられていない二輪車用空気入りタイヤ１０は、インナーライナーを設けた二輪車用空気入りタイヤ１０に比較して、インナーライナーの分だけタイヤ重量を軽量化できることになる。
【００４９】
（試験例）
タイヤ内面側にゴム補強層を供えていない二輪車用空気入りタイヤを従来品とし、タイヤ内面にゴム補強層を供えてその配置が本発明の規定に沿っている二輪車用空気入りタイヤを実施例品、タイヤ内面にゴム補強層を供えてその配置が本発明の規定に沿っていない二輪車用空気入りタイヤを比較品として、下記及び表１に示される条件の下で評価を行った。
試験条件は、以下の通りである。
【００５０】
【表１】
2011057184.tif 000003
【００５１】
※「バイアス構造」とは、複数本のナイロンコードを含むプライ（タイヤ周方向に対するナイロンコードの傾斜角度は３０度）の２枚からなるカーカスを有し、カーカスのタイヤ径方向外側にナイロンコードを含むブレーカー（１枚）を配置した構造である。
※「ラジアル構造」とは、複数本のナイロンコードを含むプライ（タイヤ周方向に対するナイロンコードの傾斜角度は９０度）の１枚からなるカーカスを有し、カーカスのタイヤ径方向外側に芳香族ポリアミドコード（商品名：ケブラー）を螺旋巻きして構成されたモノスパイラルベルト（ＭＳＢ）を配置した構造である。
【００５２】
【表２】
2011057184.tif 000004
【表３】
2011057184.tif 000005
【表４】
2011057184.tif 000006
【表５】
2011057184.tif 000007
【００５３】
各試験種に係る二輪車用空気入りタイヤを実車に装着し、プロのライダーによる不整地走行を行い、表３〜５に示されるように、操縦安定性に関係するグリップ感、接地感、ギャップ通過性、ジャンプ着地、滑りのコントロール性、及びハンドリングの各評価項目について、フィーリング評価を行った。各評価項目は１０点満点であり、数値が大きい方が良好な結果であることを示している。
【００５４】
この試験例によれば、本発明の適用された実施例１，２は、従来品以上の性能が得られれていることが分かった。なお、比較例１〜３では、何れかの項目において従来品よりも性能が低下していることが分かった。
【符号の説明】
【００５５】
１０    二輪車用空気入りタイヤ
１２    カーカス
１４    ビード部
１６    ビードコア
１８    ブレーカー
２２    トレッド部
２４    陸部
２６    ゴム補強層
【図１】
2011057184.tif 000008
【図２】
2011057184.tif 000009
【図３】
2011057184.tif 000010
【図４】
2011057184.tif 000011
【図５】
2011057184.tif 000012
【図６】
2011057184.tif 000013